(57)【要約】【課題】ヒーター性能の向上と、サーモスタットの適正な開閉制御と、の両立に資する技術を提供すること。【解決手段】ヘッド用ウォータージャケットＨＷＪの延在方向の一方側に冷却水入口７０ａ，７０ｂを設けると共に、ヘッド用ウォータージャケットＨＷＪの延在方向の他方側に冷却水出口７２，７４ａ，７４ｂ，７６ａ，７６ｂを設ける。冷却水入口７０ａ，７０ｂからの冷却水は、燃焼室冷却用下側および上側流路６２ａ，６４ａ、排気通路冷却用下側および上側流路６２ｂ，６４ｂ、および、吸気通路冷却用下側および上側流路６２ｃ，６４ｃに流して、冷却した後の冷却水を混合部９２で混合させる。なお、排気通路冷却用下側および上側流路６２ｂ，６４ｂの延在方向の延長線上に対応する位置にヒーターＨＴへの配管が接続された冷却水出口７４ａ，７４ｂを配置する。当該構成により、ヒーター性能の向上と、サーモスタットＴＭの適正な開閉制御とを両立できる。【選択図】図９
2019035365.tif 000002
【特許請求の範囲】
【請求項１】
燃焼室を構成する複数の燃焼室構成凹部と、
該燃焼室構成凹部を挟んで互いに対向する位置関係に配置され複数の前記燃焼室構成凹部それぞれに連通するよう構成された吸気通路および排気通路と、
冷却媒体が流れる流路として構成されたウォータージャケットと、
を備え、
前記ウォータージャケットは、前記燃焼室の配列方向の一方側に設けられた冷却媒体入口と、前記燃焼室の配列方向の他方側に設けられた冷却媒体出口と、前記冷却媒体入口からの前記冷却媒体が主に前記燃焼室の周辺部を通って前記冷却媒体出口に向かうよう構成された燃焼室冷却用流路と、前記冷却媒体入口からの前記冷却媒体が主に前記吸気通路の周辺部を通って前記冷却媒体出口に向かうよう構成された吸気通路冷却用流路と、前記冷却媒体入口からの前記冷却媒体が主に前記排気通路の周辺部を通って前記冷却媒体出口に向かうよう構成された排気通路冷却用流路と、前記燃焼室冷却用流路，前記吸気通路冷却用流路および前記排気通路冷却用流路を流れる前記冷却媒体を混合するよう構成された混合部と、を有しており、
前記冷却媒体出口は、前記混合部で混合された前記冷却媒体が流出される主出口と、該主出口に隣接した位置であって前記燃焼室冷却用流路に関して前記排気通路冷却用流路側の位置に配置された副出口と、を有しており、
前記ウォータージャケットを流れる前記冷却媒体によって前記燃焼室、前記吸気通路および前記排気通路を冷却するよう構成されている
シリンダヘッド。
【請求項２】
前記混合部は、前記冷却媒体が前記排気通路冷却用流路の下流において前記燃焼室冷却用流路に向かうよう誘導する第１誘導部と、前記冷却媒体が前記吸気通路冷却用流路の下流において前記燃焼室冷却用流路に向かうよう誘導する第２誘導部と、を有している
請求項１に記載のシリンダヘッド。
【請求項３】
前記シリンダヘッドをシリンダブロックに締結するためのヘッドボルトが挿通されるボルト挿通孔を有するボルト挿通ボス部と、
前記吸気通路と前記燃焼室との連通開口を開閉可能な吸気バルブが挿通される吸気バルブ挿通孔を有する吸気バルブ挿通ボス部と、
前記排気通路と前記燃焼室との連通開口を開閉可能な排気バルブが挿通される排気バルブ挿通孔を有する排気バルブ挿通ボス部と、
をさらに備え、
前記第１および第２誘導部は、前記吸気通路を構成する吸気通路構成壁部、前記排気通路を構成する排気通路構成壁部、前記ボルト挿通ボス部、前記吸気バルブ挿通ボス部および前記排気バルブ挿通ボス部の少なくとも１つによって構成されている
請求項２に記載のシリンダヘッド。
【請求項４】
前記副出口と前記排気通路冷却用流路とは、前記第１誘導部によって仕切られている
請求項２または３に記載のシリンダヘッド。
【請求項５】
前記冷却媒体出口は、前記主出口に隣接した位置であって前記燃焼室冷却用流路に関して前記吸気通路冷却用流路側の位置に配置された第２副出口をさらに有している
請求項１ないし４のいずれか１項に記載のシリンダヘッド。
【請求項６】
前記ウォータージャケットは、隔壁を介して上側および下側ウォータージャケットに区画形成されており、
前記主出口は、前記上側および下側ウォータージャケットに亘って開口しており、
前記上側ウォータージャケットを構成する上側底壁としての前記隔壁は、前記主出口近傍において該主出口に向かって下り傾斜となる下向傾斜部を有しており、
前記下側ウォータージャケットを構成する下側底壁は、前記主出口近傍において該主出口に向かって上り傾斜となる上向傾斜部を有している
請求項１ないし５のいずれか１項に記載のシリンダヘッド。
【請求項７】
請求項１ないし６のいずれか１項に記載のシリンダヘッドと、
前記冷却媒体出口を覆うよう前記シリンダヘッドに取り付けられたアウトレット部材と、
前記シリンダヘッドに締結されるシリンダブロックと、
前記シリンダブロックに取り付けられるウォーターポンプと、
を備え、
前記ウォーターポンプから前記シリンダヘッドに供給された冷却水が前記アウトレット部材を介して前記ウォーターポンプに還流されるよう構成されている
内燃機関。
【発明の詳細な説明】
【技術分野】
【０００１】
本発明は、燃焼室を構成する複数の燃焼室構成凹部と、当該燃焼室構成凹部を挟んで互いに対向する位置関係に配置され複数の前記燃焼室構成凹部それぞれに連通するよう構成された吸気通路および排気通路と、冷却媒体が流れる流路として構成されたウォータージャケットと、を備え、当該ウォータージャケットを流れる冷却媒体によって燃焼室、吸気通路および排気通路を冷却するように構成されたシリンダヘッドおよびこれを備える内燃機関に関する。
【背景技術】
【０００２】
特開２００２−３３９７４９号公報（特許文献１）には、ウォーターポンプから吐出された冷却水が流通するウォータージャケットを備え、当該ウォータージャケットに流れる冷却水によって燃焼室周辺や排気通路周辺、吸気通路周辺の冷却を行うように構成されたシリンダヘッドが記載されている。
【０００３】
当該シリンダヘッドでは、主に排気通路周辺を冷却した後の比較的温度が高い冷却水をヒーターコアに供給することによってヒーター性能の向上を図っている。なお、サーモスタットには、主に燃焼室周辺を冷却した後の冷却水が供給され、当該サーモスタットに供給された冷却水温によってサーモスタットの開閉制御を行っている。
【先行技術文献】
【特許文献】
【０００４】
【特許文献１】特開２００２−３３９７４９号公報
【発明の概要】
【発明が解決しようとする課題】
【０００５】
ところで、ウォータ―ジャケット内を流通する冷却水の温度は、ウォータージャケット内の場所によって温度分布に偏りが生じており、一般的には、排気通路周辺を流れる冷却水の温度が最も高く、次いで、燃焼室周辺を流れる冷却水の温度が高く、吸気通路周辺を流れる冷却水の温度が最も低いものとなっている。上述した公報に記載のシリンダヘッドでは、主に最も温度が高い排気通路周辺を流れた冷却水をヒーターコアに供給する構成であるため、ヒーター性能の向上を図ることができるものの、冷却水全体の水温、即ち、燃焼室周辺を冷却した冷却水、排気通路周辺を冷却した冷却水、および、吸気通路周辺を冷却した冷却水のそれぞれがミキシングされた状態の冷却水温に基づいて開閉制御するべきサーモスタットには、主に燃焼室側を冷却した後の冷却水のみが供給される構成であるため、サーモスタットが適正に開閉制御されない可能性があり、かかる点において、なお改良の余地がある。
【０００６】
本発明は、上記に鑑みてなされたものであり、ヒーター性能の向上と、サーモスタットの適正な開閉制御と、の両立に資する技術を提供することを目的の一つとする。
【課題を解決するための手段】
【０００７】
本発明のシリンダヘッドおよびこれを備える内燃機関は、上述の目的を達成するために以下の手段を採った。
【０００８】
本発明に係るシリンダヘッドの好ましい形態によれば、燃焼室を構成する複数の燃焼室構成凹部と、当該燃焼室構成凹部を挟んで互いに対向する位置関係に配置され複数の燃焼室構成凹部それぞれに連通するように構成された吸気通路および排気通路と、冷却媒体が流れる流路として構成されたウォータージャケットと、を備えている。ウォータージャケットは、燃焼室の配列方向の一方側に設けられた冷却媒体入口と、燃焼室の配列方向の他方側に設けられた冷却媒体出口と、冷却媒体入口からの冷却媒体が主に燃焼室の周辺部を通って冷却媒体出口に向かうように構成された燃焼室冷却用流路と、冷却媒体入口からの冷却媒体が主に吸気通路の周辺部を通って冷却媒体出口に向かうように構成された吸気通路冷却用流路と、冷却媒体入口からの冷却媒体が主に排気通路の周辺部を通って冷却媒体出口に向かうように構成された排気通路冷却用流路と、燃焼室冷却用流路，吸気通路冷却用流路および排気通路冷却用流路を流れる冷却媒体を混合するように構成された混合部と、を有している。また、冷却媒体出口は、混合部で混合された冷却媒体が流出される主出口と、当該主出口に隣接した位置であって燃焼室冷却用流路に関して排気通路冷却用流路側の位置に配置された副出口と、を有している。そして、ウォータージャケットを流れる冷却媒体によって燃焼室、吸気通路および排気通路を冷却するように構成されている。
【０００９】
ここで、本発明における「燃焼室の配列方向の一方側」とは、燃焼室の配列方向の中央よりも燃焼室の配列方向の一方側に寄った位置がこれに該当する。また、「燃焼室の配列方向の他方側」とは、燃焼室の配列方向の中央よりも燃焼室の配列方向の他方側に寄った位置がこれに該当する。
【００１０】
本発明によれば、主出口にサーモスタットを設置する構成とすることによって、燃焼室，吸気通路および排気通路を冷却した後に混合部において混合された冷却媒体をサーモスタットに接触させることができるため、サーモスタットの開閉制御を適正に行うことができる。また、副出口から流出される冷却媒体をヒーターに供給する構成とすることによって、排気通路冷却用流路側からの比較的温度の高い冷却媒体がヒーター側に流れ易い構成となるため、ヒーター性能の向上を図ることもできる。
【００１１】
本発明に係るシリンダヘッドの更なる形態によれば、混合部は、冷却媒体が排気通路冷却用流路の下流において燃焼室冷却用流路に向かうように誘導する第１誘導部と、冷却媒体が吸気通路冷却用流路の下流において燃焼室冷却用流路に向かうように誘導する第２誘導部と、を有している。
【００１２】
本形態によれば、排気通路冷却用流路を流れる冷却媒体を第１誘導部によって燃焼室冷却用流路を流れる冷却媒体に衝突させ、吸気通路冷却用流路を流れる冷却媒体を第２誘導部によって燃焼室冷却用流路を流れる冷却媒体に衝突させる構成であるため、各流路からの冷却媒体をその下流において効果的に混合することができる。
【００１３】
本発明に係るシリンダヘッドの更なる形態によれば、シリンダヘッドをシリンダブロックに締結するためのヘッドボルトが挿通されるボルト挿通孔を有するボルト挿通ボス部と、吸気通路と燃焼室との連通開口を開閉可能な吸気バルブが挿通される吸気バルブ挿通孔を有する吸気バルブ挿通ボス部と、排気通路と燃焼室との連通開口を開閉可能な排気バルブが挿通される排気バルブ挿通孔を有する排気バルブ挿通ボス部と、をさらに備えている。そして、第１および第２誘導部は、吸気通路を構成する吸気通路構成壁部、排気通路を構成する排気通路構成壁部、ボルト挿通ボス部、吸気バルブ挿通ボス部および排気バルブ挿通ボス部の少なくとも１つによって構成されている。
【００１４】
本形態によれば、ウォータージャケット内に専用の誘導部を設ける必要がないため、ウォータージャケットの構造が複雑化すること、および、重量が増加することを良好に抑制できる。
【００１５】
本発明に係るシリンダヘッドの更なる形態によれば、副出口と排気通路冷却用流路とは、第１誘導部によって仕切られている。
【００１６】
本形態によれば、排気通路冷却用流路からの冷却媒体が混合部を介さずに直接副出口から流出することを抑制できる。これにより、排気通路冷却用流路からの冷却媒体を混合部において燃焼室冷却用流路および吸気通路冷却用流路からの冷却媒体と確実に混合させることができる。この結果、主出口から流出される冷却媒体の温度を冷却媒体全体の温度の代用値として用いることの適正さを確保することができ、サーモスタットの開閉制御を適正に行うことができる。
【００１７】
本発明に係るシリンダヘッドの更なる形態によれば、冷却媒体出口は、主出口に隣接した位置であって燃焼室冷却用流路に関して吸気通路冷却用流路側の位置に配置された第２副出口をさらに有している。
【００１８】
本形態によれば、第２副出口から流出される冷却媒体をスロットルチャンバーに供給する構成とすることによって、吸気通路冷却用流路側からの冷却媒体がスロットルチャンバー側に流れ易い構成となる。これにより、スロットルチャンバーの暖気を良好に図ることができる。即ち、スロットルチャンバー側に流す冷却媒体が、排気通路冷却用流路からの冷却媒体に比べて低温である吸気通路冷却用流路側からの冷却媒体であるため、吸気温度を過剰に上昇させることなくスロットルチャンバーの暖気を図ることができる。この結果、燃費向上とノッキング発生防止との両立を図ることができる。
【００１９】
本発明に係るシリンダヘッドの更なる形態によれば、ウォータージャケットは、隔壁を介して上側および下側ウォータージャケットに区画形成されている。主出口は、上側および下側ウォータージャケットに亘って開口している。また、上側ウォータージャケットを構成する上側底壁としての隔壁は、主出口近傍において当該主出口に向かって下り傾斜となる下向傾斜部を有している。そして、下側ウォータージャケットを構成する下側底壁は、主出口近傍において当該主出口に向かって上り傾斜となる上向傾斜部を有している。
【００２０】
本形態によれば、シリンダヘッドの上下に配置されたウォータージャケットからの冷却媒体を主出口において良好に混合することができるため、シリンダヘッドの冷却性向上を図りながらサーモスタットの適正な開閉制御を行うことができる。
【００２１】
本発明に係る内燃機関の好ましい形態によれば、上述したいずれかの態様の本発明に係るシリンダヘッドと、冷却媒体出口を覆うよう前記シリンダヘッドに取り付けられたアウトレット部材と、シリンダヘッドに締結されるシリンダブロックと、当該シリンダブロックに取り付けられるウォーターポンプと、を備えている。そして、ウォーターポンプからシリンダヘッドに供給された冷却水がアウトレット部材を介してウォーターポンプに還流されるように構成されている。
【００２２】
本発明によれば、上述した各態様のいずれかの本発明に係るシリンダヘッドを備えるため、本発明に係るシリンダヘッドが奏する効果と同様の効果、例えば、サーモスタットの開閉制御を適正に行うことができる効果や、ヒーター性能の向上を図ることができる効果、あるいは、スロットルチャンバーの暖気を良好に図ることができる効果などを奏することができる。これにより、燃費向上を図ることができる。
【発明の効果】
【００２３】
本発明によれば、ヒーター性能の向上と、サーモスタットの適正な開閉制御と、の両立に資する技術を提供することができる。
【図面の簡単な説明】
【００２４】
【図１】本発明の実施の形態に係る内燃機関１の構成の概略を示す概略構成図である。
【図２】本発明の実施の形態に係るシリンダヘッド２の構成の概略を示す斜視図である。
【図３】本発明の実施の形態に係るシリンダヘッド２を上方から見た平面図である。
【図４】本発明の実施の形態に係るシリンダヘッド２を排気通路ＥＸＨの開口側から見た側面図である。
【図５】図４のＡ−Ａ断面を示す断面図である。
【図６】動弁機構の構成および配置の様子を説明するために、本発明の実施の形態に係るシリンダヘッド２を燃焼室の配列方向に直交する平面で切った状態を示す断面図である。
【図７】本発明の実施の形態に係るシリンダヘッド２の後壁２２ｄを拡大して示す拡大斜視図である。
【図８】本発明の実施の形態に係るシリンダヘッド２を後壁２２ｄ側から見た正面図である。
【図９】図５のＢ−Ｂ断面を示す断面図である。
【図１０】図５のＣ−Ｃ断面を示す断面図である。
【図１１】図３のＺ部を拡大して示す拡大図である。
【図１２】図１１のＥ−Ｅ断面を示す断面図である。
【図１３】図１１のＦ−Ｆ断面を示す断面図である。
【図１４】図８のＤ−Ｄ断面の要部を拡大して示す拡大断面図である。
【図１５】サーモスタットＴＭが取り付けられた状態のシリンダヘッド２を後壁２２ｄ側から見た状態図である。
【図１６】図１５のＧ−Ｇ断面の要部を拡大して示す拡大断面図である。
【図１７】ウォータアウトレット１０の外観を示す斜視図である。
【図１８】ウォータアウトレット１０を凹部１００ａ，１００ｂ，１００ｃ側から見た裏面図である。
【図１９】内燃機関１の冷却経路を模式的に示す説明図である。
【図２０】下側ヘッド用ウォータージャケットＬＨＷＪを流れる冷却水の流れの様子を示す説明図である。
【図２１】上側ヘッド用ウォータージャケットＵＨＷＪを流れる冷却水の流れの様子を示す説明図である。
【発明を実施するための形態】
【００２５】
次に、本発明を実施するための最良の形態を実施例を用いて説明する。
【００２６】
本実施の形態に係る内燃機関１は、図１に示すように、シリンダヘッド２と、当該シリンダヘッド２の上方に取り付けられたロッカーカバー４と、シリンダヘッド２の下方に取り付けられたシリンダブロック６と、当該シリンダブロック６の下方に取り付けられたオイルパン８と、シリンダヘッド２に取り付けられたウォータアウトレット１０と、シリンダヘッド２に取り付けられたインテークマニホールド１２と、を備えている。
【００２７】
なお、本実施の形態では、内燃機関１は、３つの燃焼室が直列に配置された直列３気筒エンジンとして構成されている。本実施の形態では、便宜上、図１中の上側（ロッカーカバー４側）を、「上方」ないし「上側」として規定し、図１および図２中の下側（オイルパン８側）を、「下方」ないし「下側」として規定する。
【００２８】
シリンダヘッド２は、内燃機関１を構成する主要部品の一つであり、アルミニウム合金を用いたダイカスト製法によって概略ブロック状に構成されている。シリンダヘッド２は、図２および図３に示すように、当該シリンダヘッド２の外郭を形成する外壁２２と、図５および図６に示すように、外壁２２に接続されたアッパーデッキ２４と、外壁２２に接続されると共に３つの燃焼室を構成する３つの燃焼室構成凹部２６ａが形成されたロアデッキ２６と、から構成されている。以下、説明の便宜上、前壁２２ｃ側から後壁２２ｄ側に向かって順に第１燃焼室構成凹部２６ａ、第２燃焼室構成凹部２６ａ、第３燃焼室構成凹部２６ａと規定する。なお、燃焼室は、燃焼室構成凹部２６ａと、図示しないピストンの冠面とによって構成される。
【００２９】
外壁２２は、図２および図３に示すように、燃焼室構成凹部２６ａ（燃焼室）の配列方向（気筒列方向ともいう。図３の上下方向）に沿って延在する一対の側壁２２ａ，２２ｂと、燃焼室構成凹部２６ａ（燃焼室）の配列方向に交差する方向に沿って延在すると共に一対の側壁２２ａ，２２ｂに接続された前壁２２ｃおよび後壁２２ｄと、を有している。
【００３０】
側壁２２ａには、図３、図５および図６に示すように、インテークマニホールド１２を取付けるための取付部２３が設けられており、当該取付部２３から燃焼室構成凹部２６ａまで貫通する吸気通路ＩＮＴが当該取付部２３に開口している（図６参照）。なお、吸気通路ＩＮＴは、図６に示すように、取付部２３から燃焼室構成凹部２６ａに至って形成された吸気通路構成壁部２１ａによって画定されている。
【００３１】
側壁２２ｂには、図３、図５および図６に示すように、エキゾーストマニホールド（図示せず）を取付けるための取付部２５が設けられており、当該取付部２５から燃焼室構成凹部２６ａまで貫通する排気通路ＥＸＨが当該取付部２５に開口している（図４および図５参照）。取付部２５には、エキゾーストマニホールド（図示せず）を当該取付部に締結するためのボルトがネジ係合されるネジ孔２５ａが設けられており、当該ネジ孔２５ａを画定するボス部２５ｂが、図９および図１０に示すように、後述する下側ヘッド用ウォータージャケットＬＨＷＪの排気通路冷却用下側流路６２ｂ内および上側ヘッド用ウォータージャケットＵＨＷＪの吸気通路冷却用下側流路６４ｃ内に突出している。なお、排気通路ＥＸＨは、図６に示すように、取付部２５から燃焼室構成凹部２６ａに至って形成された排気通路構成壁部２１ｂによって画定されている。
【００３２】
前壁２２ｃには、クランクシャフト（図示せず）の回転を後述する吸気側カムシャフト５２ａ（図６参照）および排気側カムシャフト５２ｂ（図６参照）に伝達するためのタイミングチェーン（図示せず）を覆うチェーンカバー（図示せず）が締結される。
【００３３】
後壁２２ｄには、図２、図７および図８に示すように、ウォータアウトレット１０（図１参照）が取り付けられる取付面２７が形成されている。当該取付面２７には、後述するヘッド用ウォータージャケットＨＷＪの複数の冷却水出口７２，７４ａ，７４ｂ，７６ａ，７６ｂが開口している。
【００３４】
アッパーデッキ２４は、図６に示すように、ロッカーカバー４と共に動弁機構室ＶＭＣを構成している。動弁機構室ＶＭＣには、吸気側カムシャフト５２ａや排気側カムシャフト５２ｂ、吸気側バルブ５４ａ、排気側バルブ５４ｂ、吸気側バルブリフタ５６ａ、排気側バルブリフタ５６ｂなどから構成される動弁機構が収容配置される。
【００３５】
また、アッパーデッキ２４には、図３に示すように、シリンダヘッド２をシリンダブロック６に締結するための図示しないヘッドボルトが挿通される挿通孔３２ａが開口していると共に、吸気側バルブ５４ａおよび排気側バルブ５４ｂが挿通される吸気バルブ挿通孔３４ａおよび排気バルブ挿通孔３６ａが開口している。挿通孔３２ａは、本発明における「ボルト挿通孔」に対応する実施構成の一例である。
【００３６】
挿通孔３２ａは、アッパーデッキ２４からロアデッキ２６に至って形成されたボルト挿通ボス部３２によって画定されている（図９および図１０参照）。なお、ボルト挿通ボス部３２は、図９および図１０に示すように、側壁２２ａ側および側壁２２ｂ側のそれぞれに各燃焼室構成凹部２６ａを挟むような位置関係で燃焼室構成凹部２６ａの配列方向に沿って配置されている。言い換えると、ボルト挿通ボス部３２は、各燃焼室構成凹部２６ａに関して当該燃焼室構成凹部２６ａの配列方向の両側に配置されている。そして、当該ボルト挿通ボス部３２のうち側壁２２ｂ側の第２燃焼室構成凹部２６ａを挟むように（第２燃焼室構成凹部２６ａに関して燃焼室構成凹部２６ａの配列方向の両側に）配置された２つのボルト挿通ボス部３２を除く全てのボルト挿通ボス部３２が側壁２２ａ，２２ｂと一体に形成されている。また、吸気バルブ挿通孔３４ａおよび排気バルブ挿通孔３６ａは、図６示すように、アッパーデッキ２４に一体成形された吸気バルブ挿通ボス部３４および排気バルブ挿通ボス部３６によって画定されている。
【００３７】
さらに、アッパーデッキ２４とロアデッキ２６との間には、図５に示すように、シリンダヘッド２の燃焼室構成凹部２６ａ（燃焼室）周りや排気通路ＥＸＨの周り、吸気通路ＩＮＴの周りの冷却を行うための冷却水が流れるヘッド用ウォータージャケットＨＷＪが形成されている。ヘッド用ウォータージャケットＨＷＪは、図５、図１２および図１３に示すように、アッパーデッキ２４(図５および図１３参照)とロアデッキ２６との間に設けられた隔壁４２によって、隔壁４２とロアデッキ２６間に構成された下側ヘッド用ウォータージャケットＬＨＷＪと、アッパーデッキ２４と隔壁４２間に構成された上側ヘッド用ウォータージャケットＵＨＷＪと、に分割されており、二層ウォータージャケットを構成している。ヘッド用ウォータージャケットＨＷＪは、本発明における「ウォータージャケット」に対応する実施構成の一例であり、下側ヘッド用ウォータージャケットＬＨＷＪおよび上側ヘッド用ウォータージャケットＵＨＷＪは、それぞれ本発明における「下側ウォータージャケット」および「上側ウォータージャケット」に対応する実施構成の一例である。
【００３８】
下側ヘッド用ウォータージャケットＬＨＷＪは、図９に示すように、燃焼室構成凹部２６ａ（燃焼室）の配列方向に延在しており、燃焼室構成凹部２６ａのほぼ上方に配置された燃焼室冷却用下側流路６２ａと、排気通路ＥＸＨのほぼ下方に配置された排気通路冷却用下側流路６２ｂと、吸気通路ＩＮＴのほぼ下方に配置された吸気通路冷却用下側流路６２ｃと、から構成されている。即ち、排気通路冷却用下側流路６２ｂおよび吸気通路冷却用下側流路６２ｃは、燃焼室冷却用下側流路６２ａを挟むように下側ヘッド用ウォータージャケットＬＨＷＪの延在方向に見て当該燃焼室冷却用下側流路６２ａの両側に配置されている。燃焼室冷却用下側流路６２ａ、排気通路冷却用下側流路６２ｂおよび吸気通路冷却用下側流路６２ｃは、それぞれ本発明における「燃焼室冷却用流路」、「排気通路冷却用流路」および「吸気通路冷却用流路」に対応する実施構成の一例である。
【００３９】
排気通路冷却用下側流路６２ｂの前壁２２ｃ寄りの位置（燃焼室構成凹部２６ａ（燃焼室）の配列方向の一方側（第１燃焼室構成凹部２６ａ側）であって前壁２２ｃ寄りの側壁２２ｂ側の位置）には、図９に示すように、下側ヘッド用ウォータージャケットＬＨＷＪへ冷却水を流入するための流入口としての冷却水入口７０ａが開口している。また、下側ヘッド用ウォータージャケットＬＨＷＪの延在方向の他方側（燃焼室構成凹部２６ａ（燃焼室）の配列方向の他方側）に配置された後壁２２ｄの取付面２７には、下側ヘッド用ウォータージャケットＬＨＷＪからの冷却水を流出するための流出口としての３つの冷却水出口７２，７４ａ，７６ａが開口している。なお、冷却水出口７２は、燃焼室冷却用下側流路６２ａの延在方向の延長上に対応する位置に配置され、冷却水出口７４ａは、排気通路冷却用下側流路６２ｂの延在方向の延長線上に対応する位置に配置され、冷却水出口７６ａは、吸気通路冷却用下側流路６２ｃの延在方向の延長線上に対応する位置に配置されている。冷却水出口７２，７４ａ，７６ａは、それぞれ本発明における「主出口」、「副出口」および「第２副出口」に対応する実施構成の一例である。
【００４０】
ここで、側壁２２ｂ側の最も後壁２２ｄ寄りの位置に配置された（側壁２２ｂおよび後壁２２ｄの交差部近傍に配置された）ボルト挿通ボス部３２は、図９に示すように、排気通路冷却用下側流路６２ｂ内に突出するよう構成されていると共に、第３燃焼室構成凹部２６ａにおける一対の排気通路構成壁部２１ｂのうち後壁２２ｄ側に配置された排気通路構成壁部２１ｂに一体に接続されており、排気通路冷却用下側流路６２ｂが冷却水出口７４ａに直接連通されないように構成されている。言い換えると、排気通路冷却用下側流路６２ｂと冷却水出口７４ａとが、接続された排気通路構成壁部２１ｂおよびボルト挿通ボス部３２によって互いに仕切られていると言うことができる。これにより、排気通路冷却用下側流路６２ｂは、燃焼室冷却用下側流路６２ａを介して冷却水出口７４ａに連通される。側壁２２ｂ側の最も後壁２２ｄ寄りの位置に配置されたボルト挿通ボス部３２および後壁２２ｄ側に配置された排気通路構成壁部２１ｂは、それぞれ本発明における「第１誘導部」に対応する実施構成の一例である。
【００４１】
また、側壁２２ａ側の最も後壁２２ｄ寄りの位置に配置された（側壁２２ａおよび後壁２２ｄの交差部近傍に配置された）ボルト挿通ボス部３２は、図９に示すように、吸気通路冷却用下側流路６２ｃ内に若干突出するように構成されており、これにより、吸気通路冷却用下側流路６２ｃの後壁２２ｄ側端部（下流端部）は、冷却水出口７６ａ側ではなく冷却水出口７２に指向している。側壁２２ａ側の最も後壁２２ｄ寄りの位置に配置されたボルト挿通ボス部３２は、本発明における「第２誘導部」に対応する実施構成の一例である。
【００４２】
このように排気通路冷却用下側流路６２ｂおよび吸気通路冷却用下側流路６２ｃは、当該排気通路冷却用下側流路６２ｂおよび吸気通路冷却用下側流路６２ｃを流れる冷却水が、その下流端部（冷却水出口７２，７４ａ，７６ａの直前部）において、燃焼室冷却用下側流路６２ａを流れる冷却水に混合（合流）される混合部９２を有するように構成されている。
【００４３】
さらに、下側ヘッド用ウォータージャケットＬＨＷＪを構成する底壁（ロアデッキ２６の下側ヘッド用ウォータージャケットＬＨＷＪ側の面）は、図１１のＦ−Ｆ断面を示す図１３に示すように、冷却水出口７２，７４ａ，７６ａ近傍（後述する連通開口４２ａに対向する部分）において当該冷却水出口７２，７４ａ，７６ａに向かうに伴い上り傾斜となる傾斜面４４を有している。これにより、燃焼室冷却用下側流路６２ａ、排気通路冷却用下側流路６２ｂおよび吸気通路冷却用下側流路６２ｃを流れる冷却水が、その下流端部（冷却水出口７２，７４ａ，７６ａの直前部）において、上方へ誘導されて後述する連通開口４２ａを介して上側ヘッド用ウォータージャケットＵＨＷＪ（具体的には、後述する燃焼室冷却用上側流路６４ａ、排気通路冷却用上側流路６４ｂおよび吸気通路冷却用上側流路６４ｃ）を流れてきた冷却水に混合部９２において混合（合流）される。傾斜面４４は、本発明における「上向傾斜部」に対応する実施構成の一例である。
【００４４】
上側ヘッド用ウォータージャケットＵＨＷＪは、図１０に示すように、燃焼室構成凹部２６ａ（燃焼室）の配列方向に延在しており、燃焼室構成凹部２６ａのほぼ上方に配置された燃焼室冷却用上側流路６４ａと、排気通路ＥＸＨのほぼ上方に配置された排気通路冷却用上側流路６４ｂと、吸気通路ＩＮＴのほぼ上方に配置された吸気通路冷却用上側流路６４ｃと、から構成されている。即ち、排気通路冷却用上側流路６４ｂおよび吸気通路冷却用上側流路６４ｃは、燃焼室冷却用上側流路６４ａを挟むように上側ヘッド用ウォータージャケットＵＨＷＪの延在方向に見て当該燃焼室冷却用上側流路６４ａの両側に配置されている。燃焼室冷却用上側流路６４ａ、排気通路冷却用上側流路６４ｂおよび吸気通路冷却用上側流路６４ｃは、それぞれ本発明における「燃焼室冷却用流路」、「排気通路冷却用流路」および「吸気通路冷却用流路」に対応する実施構成の一例である。
【００４５】
燃焼室冷却用上側流路６４ａの前壁２２ｃ側の端部（燃焼室構成凹部２６ａ（燃焼室）の配列方向の一方側（第１燃焼室構成凹部２６ａ側端部）には、図１０に示すように、上側ヘッド用ウォータージャケットＵＨＷＪへ冷却水を流入するための流入口としての冷却水入口７０ｂが開口している。また、上側ヘッド用ウォータージャケットＵＨＷＪの底壁である隔壁４２のうち当該上側ヘッド用ウォータージャケットＵＨＷＪの延在方向の他方側（燃焼室構成凹部２６ａ（燃焼室）の配列方向の他方側）の端部（後述する冷却水出口７２，７４ｂ，７６ｂ直前部分）には、当該上側ヘッド用ウォータージャケットＵＨＷＪと下側ヘッド用ウォータージャケットＬＨＷＪとを連通させる連通開口４２ａが形成されている。
【００４６】
さらに、上側ヘッド用ウォータージャケットＵＨＷＪの延在方向の他方側（燃焼室構成凹部２６ａ（燃焼室）の配列方向の他方側）に配置された後壁２２ｄの取付面２７には、上側ヘッド用ウォータージャケットＵＨＷＪからの冷却水を排出するための排出口としての３つの冷却水出口７２，７４ｂ，７６ｂが開口している。なお、冷却水出口７２は、燃焼室冷却用上側流路６４ａの延在方向の延長上に対応する位置に配置され、冷却水出口７４ｂは、排気通路冷却用上側流路６４ｂの延在方向の延長線上に対応する位置に配置され、冷却水出口７６ｂは、吸気通路冷却用上側流路６４ｃの延在方向の延長線上に対応する位置に配置されている。即ち、冷却水出口７２は、燃焼室冷却用下側および上側流路６２ａ，６４ａの両方に対して開口している。冷却水出口７４ｂ，７６ｂは、それぞれ本発明における「副出口」および「第２副出口」に対応する実施構成の一例である。
【００４７】
ここで、図１０に示すように、側壁２２ｂ側の最も後壁２２ｄ寄りの位置に配置された（側壁２２ｂおよび後壁２２ｄの交差部近傍に配置された）ボルト挿通ボス部３２は、排気通路冷却用上側流路６４ｂ内に突出するように構成されており、当該突出したボルト挿通ボス部３２によって排気通路冷却用上側流路６４ｂが冷却水出口７４ｂに直接連通されないように構成されている。言い換えると、排気通路冷却用上側流路６４ｂと冷却水出口７４ｂとが、突出したボルト挿通ボス部３２によって互いに仕切られているとも言うことができる。即ち、排気通路冷却用上側流路６４ｂは、燃焼室冷却用上側流路６４ａを介して冷却水出口７４ｂに連通される。側壁２２ｂ側の最も後壁２２ｄ寄りの位置に配置されたボルト挿通ボス部３２は、本発明における「第１誘導部」に対応する実施構成の一例である。
【００４８】
また、側壁２２ａ側の最も後壁２２ｄ寄りの位置に配置された（側壁２２ａおよび後壁２２ｄの交差部近傍に配置された）ボルト挿通ボス部３２は、図１０に示すように、吸気通路冷却用上側流路６４ｃ内に突出するように構成されており、これにより、吸気通路冷却用上側流路６４ｃが冷却水出口７６ｂに直接連通されないように構成されている。言い換えると、吸気通路冷却用上側流路６４ｃと冷却水出口７６ｂとが、突出したボルト挿通ボス部３２によって互いに仕切られているとも言うことができる。これにより、吸気通路冷却用上側流路６４ｃは、燃焼室冷却用下側流路６２ａを介して冷却水出口７６ｂに連通される。側壁２２ａ側の最も後壁２２ｄ寄りの位置に配置されたボルト挿通ボス部３２は、本発明における「第２誘導部」に対応する実施構成の一例である。
【００４９】
このように排気通路冷却用上側流路６４ｂおよび吸気通路冷却用上側流路６４ｃは、当該排気通路冷却用上側流路６４ｂおよび吸気通路冷却用上側流路６４ｃを流れる冷却水が、その下流端部（冷却水出口７２，７４ｂ，７６ｂの直前部）に設けられた混合部９２において、燃焼室冷却用上側流路６４ａを流れる冷却水に混合（合流）されるように構成されている。
【００５０】
さらに、上側ヘッド用ウォータージャケットＵＨＷＪを構成する底壁である隔壁４２は、図１１のＥ−Ｅ断面を示す図１２に示すように、連通開口４２ａに向かうに伴い（当該冷却水出口７２，７４ｂ，７６ｂに向かうに伴い）下り傾斜となる傾斜面４６を有している。これにより、燃焼室冷却用上側流路６４ａ、排気通路冷却用上側流路６４ｂおよび吸気通路冷却用上側流路６４ｃを流れる冷却水が、その下流端部（冷却水出口７２，７４ｂ，７６ｂの直前部）において、下方へ誘導されて連通開口４２ａを介して下側ヘッド用ウォータージャケットＬＨＷＪ（具体的には、燃焼室冷却用下側流路６２ａ、排気通路冷却用下側流路６２ｂおよび吸気通路冷却用下側流路６２ｃ）を流れてきた冷却水に混合部９２において混合（合流）される。傾斜面４６は、本発明における「下向傾斜部」に対応する実施構成の一例である。
【００５１】
なお、ヘッド用ウォータージャケットＨＷＪのうち、下側ヘッド用ウォータージャケットＬＨＷＪ（具体的には、燃焼室冷却用下側流路６２ａ、排気通路冷却用下側流路６２ｂおよび吸気通路冷却用下側流路６２ｃ）を流れてきた冷却水と、上側ヘッド用ウォータージャケットＵＨＷＪ（具体的には、後述する燃焼室冷却用上側流路６４ａ、排気通路冷却用上側流路６４ｂおよび吸気通路冷却用上側流路６４ｃ）を流れてきた冷却水と、が混合（合流）する混合部９２（連通開口４２ａが形成された部分）であって、冷却水出口７２に対応する部分には、図９、図１０、図１２、図１３および図１４に示すように、後述するサーモスタットＴＭ（図１５および図１６参照）が取り付けられる取付部９４が構成されている。
【００５２】
サーモスタットＴＭは、主に、図示しないケースと、当該ケースに固定されたスピンドル（図示せず）と、ワックスが収容されると共にスピンドルに摺動可能に取り付けられた感温部としてのペレットＰ（図１６参照）と、当該ペレットＰに一体にされたバルブ（図示せず）と、スピンドルに挿通されてバルブを閉じる方向に付勢するスプリングと、を備えており、ペレットＰに接触する冷却水の温度に応じてバルブが開閉されることによって冷却水の流れを制御するバルブ装置として構成されている。
【００５３】
サーモスタットＴＭは、図１６に示すように、混合部９２にサーモスタットＴＭのペレットＰが臨むように取付部９４に取り付けられる。これにより、各流路（燃焼室冷却用下側流路６２ａ、排気通路冷却用下側流路６２ｂ、吸気通路冷却用下側流路６２ｃ、燃焼室冷却用上側流路６４ａ、排気通路冷却用上側流路６４ｂおよび吸気通路冷却用上側流路６４ｃ）からの冷却水が混合（合流）された状態でペレットに接触される。
【００５４】
ウォータアウトレット１０は、冷却水出口７２，７４ａ，７４ｂ，７６ａ，７６ｂから排出されるヘッド用ウォータージャケットＨＷＪからの冷却水を、後述するヒーターＨＴやスロットルチャンバーＴＨＣ、ラジエータＲＡＤに分配するためのカバー部材として構成されており（図１９参照）、冷却水出口７２，７４ａ，７４ｂ，７６ａ，７６ｂを覆うようにシリンダヘッド２の後壁２２ｄの取付面２７に締結される。
【００５５】
ウォータアウトレット１０は、図１７に示すように、取付面２７に締結されるフランジ部１００と、当該フランジ部１００に突出状に設けられた３本のパイプ部材１１ａ，１１ｂ，１１ｃと、から構成されている。フランジ部１００のうち３本のパイプ部材１１ａ，１１ｂ，１１ｃが突設された側とは反対側の面には、図１８に示すように、３つの凹部１００ａ，１００ｂ，１００ｃが構成されている。ウォータアウトレット１０は、本発明における「アウトレット部材」に対応する実施構成の一例である。
【００５６】
凹部１００ａは、図１８に示すように、冷却水出口７２およびサーモスタットＴＭを覆うように構成されており、凹部１００ｂは、冷却水出口７４ａ，７４ｂを覆うように構成されており、凹部１００ｃは、冷却水出口７６ａ，７６ｂを覆うように構成されている。
【００５７】
パイプ部材１１ａは、図１８に示すように、凹部１００ａに連通しており、パイプ部材１１ｂは、凹部１００ｂに連通しており、パイプ部材１１ｃは、凹部１００ｃに連通している。なお、図１９に示すように、パイプ部材１１ａは配管を介してラジエータＲＡＤに接続されるように構成されており、パイプ部材１１ｂは配管を介してヒーターＨＴに接続されるように構成されており、パイプ部材１１ｃは配管を介してスロットルチャンバーＴＨＣに接続されるように構成されている。これにより、冷却水出口７２から流出される冷却水は、凹部１００ａおよびパイプ部材１１ａを介してラジエータＲＡＤに供給され、冷却水出口７４ａ，７４ｂから流出される冷却水は、凹部１００ｂおよびパイプ部材１１ｂを介してヒーターＨＴに供給され、冷却水出口７６ａ，７６ｂから流出される冷却水は、凹部１００ｃおよびパイプ部材１１ｃを介してスロットルチャンバーＴＨＣに供給される。
【００５８】
こうして構成された内燃機関１では、シリンダブロック６に設けたウォーターポンプＷＰから吐出された冷却水は、図１９に示すように、ブロック用ウォータージャケットＢＷＪおよびヘッド用ウォータージャケットＨＷＪに供給され、ヘッド用ウォータージャケットＨＷＪから流出した冷却水がウォータアウトレット１０を介してラジエータＲＡＤやヒーターＨＴ、スロットルチャンバーＴＨＣに供給されて、ラジエータＲＡＤやヒーターＨＴ、スロットルチャンバーＴＨＣからシリンダブロック６に設けたウォータインレットＷＩを介して再びウォーターポンプＷＰに還流される。
【００５９】
次に、こうして構成された内燃機関１の動作に伴ってシリンダヘッド２のヘッド用ウォータージャケットＨＷＪに供給された冷却水の流れについて説明する。内燃機関１が運転されることによって発生する動力でウォーターポンプＷＰが駆動されると、ウォーターポンプＷＰの図示しない吐出口から冷却水が吐出され、シリンダブロック６のブロック用ウォータージャケットＢＷＪに供給される（図１９参照）。また、ウォーターポンプＷＰからブロック用ウォータージャケットＢＷＪに供給される冷却水の一部は、図２０に示すように、冷却水入口７０ａを介して下側ヘッド用ウォータージャケットＬＨＷＪに供給されると共に、図２１に示すように、冷却水入口７０ｂを介して上側ヘッド用ウォータージャケットＵＨＷＪに供給される。
【００６０】
下側ヘッド用ウォータージャケットＬＨＷＪに供給された冷却水は、図２０に示すように、燃焼室冷却用下側流路６２ａ、排気通路冷却用下側流路６２ｂおよび吸気通路冷却用下側流路６２ｃを流れ、燃焼室構成凹部２６ａ（燃焼室）周りや排気通路ＥＸＨの周り、吸気通路ＩＮＴの周りを冷却する。なお、排気通路冷却用下側流路６２ｂを流れる冷却水によってボス部２５ｂの冷却も行われる。
【００６１】
排気通路冷却用下側流路６２ｂを流れて排気通路ＥＸＨの周りおよびボス部２５ｂを冷却した冷却水は、下流端部において互いに接続されると共に排気通路冷却用下側流路６２ｂ内に突出された排気通路構成壁部２１ｂおよびボルト挿通ボス部３２によって燃焼室冷却用下側流路６２ａに向かうように流れ方向が変更される。また、吸気通路冷却用下側流路６２ｃを流れて吸気通路ＩＮＴの周りを冷却した冷却水は、下流端部において吸気通路冷却用下側流路６２ｃ内に突出したボルト挿通ボス部３２によって燃焼室冷却用下側流路６２ａに向かうように流れ方向が変更される。
【００６２】
さらに、燃焼室冷却用下側流路６２ａ、排気通路冷却用下側流路６２ｂおよび吸気通路冷却用下側流路６２ｃの下流端部の底壁（ロアデッキ２６の下側ヘッド用ウォータージャケットＬＨＷＪ側の面）に設けた傾斜面４４によって、燃焼室冷却用下側流路６２ａ、排気通路冷却用下側流路６２ｂおよび吸気通路冷却用下側流路６２ｃを流れる冷却水が、上側ヘッド用ウォータージャケットＵＨＷＪに向かうように流れ方向が変更される。
【００６３】
一方、上側ヘッド用ウォータージャケットＵＨＷＪに供給された冷却水は、図２１に示すように、燃焼室冷却用上側流路６４ａ、排気通路冷却用上側流路６４ｂおよび吸気通路冷却用上側流路６４ｃを流れ、燃焼室構成凹部２６ａ（燃焼室）周りや排気通路ＥＸＨの周り、吸気通路ＩＮＴの周りを冷却する。なお、排気通路冷却用上側流路６４ｂを流れる冷却水によってボス部２５ｂの冷却も行われる。
【００６４】
排気通路冷却用上側流路６４ｂを流れて排気通路ＥＸＨの周りおよびボス部２５ｂを冷却した冷却水は、下流端部において排気通路冷却用上側流路６４ｂ内に突出したボルト挿通ボス部３２によって燃焼室冷却用上側流路６４ａに向かうように流れ方向が変更される。また、吸気通路冷却用上側流路６４ｃを流れて吸気通路ＩＮＴの周りを冷却した冷却水は、下流端部において吸気通路冷却用上側流路６４ｃ内に突出したボルト挿通ボス部３２によって燃焼室冷却用上側流路６４ａに向かうように流れ方向が変更される。
【００６５】
さらに、燃焼室冷却用上側流路６４ａ、排気通路冷却用上側流路６４ｂおよび吸気通路冷却用上側流路６４ｃの下流端部の底壁である隔壁４２に設けた傾斜面４６によって、燃焼室冷却用下側流路６２ａ、排気通路冷却用下側流路６２ｂおよび吸気通路冷却用下側流路６２ｃを流れる冷却水が、上側ヘッド用ウォータージャケットＵＨＷＪに向かうように流れ方向が変更される。
【００６６】
こうして、燃焼室冷却用下側流路６２ａ、排気通路冷却用下側流路６２ｂ、吸気通路冷却用下側流路６２ｃ、燃焼室冷却用上側流路６４ａ、排気通路冷却用上側流路６４ｂおよび吸気通路冷却用上側流路６４ｃを流れてきた冷却水が混合部９２において良好に混合され、当該混合された冷却水がサーモスタットＴＭのペレットＰに接触する。
【００６７】
ここで、内燃機関１が運転されている場合には、シリンダヘッド２の各部（燃焼室構成凹部２６ａ（燃焼室）周りや排気通路ＥＸＨの周り、吸気通路ＩＮＴの周りのそれぞれ）において温度差が生じており、一般的には、排気通路ＥＸＨの周りの温度≧燃焼室構成凹部２６ａ（燃焼室）周りの温度＞吸気通路ＩＮＴの周りの温度となっている。したがって、ヘッド用ウォータージャケットＨＷＪの各流路（燃焼室冷却用下側流路６２ａ、排気通路冷却用下側流路６２ｂ、吸気通路冷却用下側流路６２ｃ、燃焼室冷却用上側流路６４ａ、排気通路冷却用上側流路６４ｂおよび吸気通路冷却用上側流路６４ｃ）を流れる冷却水の温度にも温度差が生じることになり、一般的には、排気通路冷却用上側および下側流路６２ｂ，６４ｂを流れる冷却水の温度≧燃焼室冷却用上側および下側流路６２ａ，６４ａを流れる冷却水の温度＞吸気通路冷却用上側および下側流路６２ｃ，６４ｃを流れる冷却水の温度となっている。
【００６８】
このように温度差のある冷却水のそれぞれが混合されることなくサーモスタットＴＭのペレットＰに接触すると、ペレットＰ内の場所によってペレットＰ内のワックスの融解状態に差が生じ（ある部分ではワックスが融解しており、ある部分ではワックスが融解していないなど）、所謂ハンチング現象が発生してサーモスタットＴＭの開閉が適正に行われないが、本実施の形態では、温度差のある冷却水を混合した状態でサーモスタットＴＭのペレットＰに接触させる構成であるため、上述したハンチング現象の発生を良好に防止し得て、サーモスタットＴＭの開閉を適正に行うことができる。これにより、内燃機関１の暖気性能や冷却水の冷却性能の向上を図ることができる。
【００６９】
なお、冷却水出口７４ａ，７４ｂが排気通路冷却用下側および上側流路６２ｂ，６４ｂの延在方向の延長線上に対応する位置に配置されているため、排気通路冷却用下側および上側流路６２ｂ，６４ｂを流れてきた比較的高温の冷却水が当該冷却水出口７４ａ，７４ｂに流れ込み易い構成となっている。これにより、ヒーターＨＴには比較的高温の冷却水が供給され易く、ヒーターＨＴの昇温性能の向上を図ることができる。
【００７０】
また、冷却水出口７６ａ，７６ｂが吸気通路冷却用下側および上側流路６２ｃ，６４ｃの延在方向の延長線上に対応する位置に配置されているため、吸気通路冷却用下側および上側流路６２ｃ，６４ｃを流れてきた冷却水（燃焼室冷却用下側および上側流路６２ａ，６４ａ、および、排気通路冷却用下側および上側流路６２ｂ，６４ｂを流れてきた冷却水よりも低い温度の冷却水）が当該冷却水出口７４ａ，７４ｂに流れ込み易い構成となっている。これにより、ヒーターＨＴよりは低い温度の冷却水で十分暖気が可能なスロットルチャンバーＴＨＣの暖気性能の向上を図ることができる。
【００７１】
以上説明した本発明の実施の形態に係る内燃機関１によれば、ヘッド用ウォータージャケットＨＷＪの延在方向の一方側に冷却水入口７０ａ，７０ｂを設けると共に、ヘッド用ウォータージャケットＨＷＪの延在方向の他方側に冷却水出口７２，７４ａ，７４ｂ，７６ａ，７６ｂを設け、冷却水入口７０ａ，７０ｂから流入される冷却水を燃焼室冷却用下側および上側流路６２ａ，６４ａ、排気通路冷却用下側および上側流路６２ｂ，６４ｂ、および、吸気通路冷却用下側および上側流路６２ｃ，６４ｃの各流路に流すことで燃焼室構成凹部２６ａ（燃焼室）周りや排気通路ＥＸＨの周り、吸気通路ＩＮＴの周りを冷却し、各流路を流れる冷却水を混合部９２で混合したうえで冷却水出口７２，７４ａ，７４ｂ，７６ａ，７６ｂから排出する構成であるため、当該混合部９２に配置したサーモスタットＴＭには温度差のない（ほぼ均一な温度に均された）冷却水を接触させることができ、当該サーモスタットＴＭの開閉制御を適正に行うことができる。
【００７２】
また、本発明の実施の形態に係る内燃機関１によれば、排気通路冷却用下側および上側流路６２ｂ，６４ｂの延在方向の延長線上に対応する位置に、ヒーターＨＴへの配管が接続された冷却水出口７４ａ，７４ｂを配置する構成であるため、比較的高温の冷却水が当該冷却水出口７４ａ，７４ｂに流れ込み易く、ヒーターＨＴの昇温性能の向上を図ることができる。さらに、吸気通路冷却用下側および上側流路６２ｃ，６４ｃの延在方向の延長線上に対応する位置に、スロットルチャンバーＴＨＣへの配管が接続された冷却水出口７６ａ，７６ｂを配置する構成であるため、吸気通路ＩＮＴの周りを冷却した後の昇温された冷却水が当該冷却水出口７４ａ，７４ｂに流れ込み易く、吸気温度を過剰に上昇させることなくスロットルチャンバーＴＨＣの暖気を図ることができる。これにより、燃費向上とノッキング発生防止との両立を図ることができる。
【００７３】
また、本発明の実施の形態に係る内燃機関１によれば、排気通路構成壁部２１ｂやボルト挿通ボス部３２を利用して排気通路冷却用下側および上側流路６２ｂ，６４ｂ、および、吸気通路冷却用下側および上側流路６２ｃ，６４ｃからの冷却水を燃焼室冷却用下側流路６２ａからの冷却水と混合させる構成であるため、ヘッド用ウォータージャケットＨＷＪ内に専用の誘導壁などを設ける構成に比べて、シリンダヘッド２の構造、特に、ヘッド用ウォータージャケットＨＷＪの構造を複雑化させたり、重量の増加を招いたりすることを良好に抑制できる。
【００７４】
本実施の形態では、排気通路冷却用下側流路６２ｂの下流端部において、互いに接続された排気通路構成壁部２１ｂおよびボルト挿通ボス部３２を当該排気通路冷却用下側流路６２ｂ内に突出させる構成としたが、これに限らない。排気通路冷却用下側流路６２ｂを流れる冷却水が、当該排気通路冷却用下側流路６２ｂの下流端部において燃焼室冷却用下側流路６２ａに向かうように流れ方向を変更することができれば良く、例えば、排気通路冷却用下側流路６２ｂの下流端部において、ボルト挿通ボス部３２のみを排気通路冷却用下側流路６２ｂ内に突出させる構成や、排気通路構成壁部２１ｂを側壁２２ｂに一体に接続させる構成とすることによって、排気通路冷却用下側流路６２ｂを流れる冷却水が当該排気通路冷却用下側流路６２ｂの下流端部において燃焼室冷却用下側流路６２ａに向かう構成としても良い。
【００７５】
ボルト挿通ボス部３２のみを排気通路冷却用下側流路６２ｂ内に突出させる構成の場合、当該ボルト挿通ボス部３２は、本発明における「第１誘導部」に対応する実施構成の一例である。また、排気通路構成壁部２１ｂを側壁２２ｂに一体に接続させる構成の場合、当該排気通路構成壁部２１ｂは、本発明における「第１誘導部」に対応する実施構成の一例である。
【００７６】
本実施の形態では、排気通路冷却用上側流路６４ｂの下流端部において、ボルト挿通ボス部３２が当該排気通路冷却用上側流路６４ｂ内に突出する構成としたが、これに限らない。排気通路冷却用上側流路６４ｂを流れる冷却水が、当該排気通路冷却用上側流路６４ｂの下流端部において燃焼室冷却用上側流路６４ａに向かうように流れ方向を変更することができれば良く、例えば、排気通路冷却用上側流路６４ｂの下流端部において、ボルト挿通ボス部３２と排気バルブ挿通ボス部３６とを一体に接続して当該排気通路冷却用上側流路６４ｂ内に突出させる構成や、排気バルブ挿通ボス部３６を側壁２２ｂに一体に接続させる構成とすることによって、排気通路冷却用上側流路６４ｂを流れる冷却水が当該排気通路冷却用上側流路６４ｂの下流端部において燃焼室冷却用上側流路６４ａに向かう構成としても良い。
【００７７】
ボルト挿通ボス部３２と排気バルブ挿通ボス部３６とを一体に接続して当該排気通路冷却用上側流路６４ｂ内に突出させる構成の場合、当該ボルト挿通ボス部３２および排気バルブ挿通ボス部３６が、本発明における「第１誘導部」に対応する実施構成の一例である。また、排気バルブ挿通ボス部３６を側壁２２ｂに一体に接続させる構成の場合、当該排気バルブ挿通ボス部３６が、本発明における「第１誘導部」に対応する実施構成の一例である。
【００７８】
本実施の形態では、吸気通路冷却用下側および上側流路６２ｃ，６４ｃの下流端部において、ボルト挿通ボス部３２を当該吸気通路冷却用下側および上側流路６２ｃ，６４ｃ内に突出させる構成としたが、これに限らない。吸気通路冷却用下側および上側流路６２ｃ，６４ｃを流れる冷却水が、当該吸気通路冷却用下側および上側流路６２ｃ，６４ｃの下流端部において燃焼室冷却用下側および上側流路６２ａ，６４ａに向かうように流れ方向を変更することができれば良く、例えば、吸気通路冷却用下側および上側流路６２ｃ，６４ｃの下流端部において、ボルト挿通ボス部３２と吸気バルブ挿通ボス部３４とを一体に接続して当該吸気通路冷却用下側および上側流路６２ｃ，６４ｃ内に突出させる構成や、吸気バルブ挿通ボス部３４を側壁２２ａに一体に接続させる構成とすることによって、吸気通路冷却用下側および上側流路６２ｃ，６４ｃを流れる冷却水が当該吸気通路冷却用下側および上側流路６２ｃ，６４ｃの下流端部において燃焼室冷却用下側および上側流路６２ａ，６４ａに向かう構成としても良い。
【００７９】
ボルト挿通ボス部３２と吸気バルブ挿通ボス部３４とを一体に接続して当該吸気通路冷却用下側および上側流路６２ｃ，６４ｃ内に突出させる構成の場合、当該ボルト挿通ボス部３２および吸気バルブ挿通ボス部３４が、本発明における「第２誘導部」に対応する実施構成の一例である。また、吸気バルブ挿通ボス部３４を側壁２２ａに一体に接続させる構成の場合、当該吸気バルブ挿通ボス部３４が本発明における「第２誘導部」に対応する実施構成の一例である。
【００８０】
本実施形態は、本発明を実施するための形態の一例を示すものである。したがって、本発明は、本実施形態の構成に限定されるものではない。
【符号の説明】
【００８１】
１          内燃機関（内燃機関）
２          シリンダヘッド（シリンダヘッド）
４          ロッカーカバー
６          シリンダブロック（シリンダブロック）
８          オイルパン
１０        ウォータアウトレット（アウトレット部材）
１１ａ      パイプ部材
１１ｂ      パイプ部材
１１ｃ      パイプ部材
１２        インテークマニホールド
２１ａ      吸気通路構成壁部（吸気通路構成壁部）
２１ｂ      排気通路構成壁部（第１誘導部、排気通路構成壁部）
２２        外壁
２２ａ      側壁
２２ｂ      側壁
２２ｃ      前壁
２２ｄ      後壁
２３        取付部
２４        アッパーデッキ
２５        取付部
２５ａ      ネジ孔
２５ｂ      ボス部
２６        ロアデッキ
２６ａ      燃焼室構成凹部（燃焼室構成凹部）
２７        取付面
３２        ボルト挿通ボス部（第１誘導部、第２誘導部、ボルト挿通ボス部）
３２ａ      挿通孔（ボルト挿通孔）
３４        吸気バルブ挿通ボス部（第２誘導部、吸気バルブ挿通ボス部）
３４ａ      吸気バルブ挿通孔（吸気バルブ挿通孔）
３６        排気バルブ挿通ボス部（排気バルブ挿通ボス部）
３６ａ      排気バルブ挿通孔（排気バルブ挿通孔）
４２        隔壁
４２ａ      連通開口
４４        傾斜面（上向傾斜部）
４６        傾斜面（下向傾斜部）
５２ａ      吸気側カムシャフト
５２ｂ      排気側カムシャフト
５４ａ      吸気側バルブ（吸気バルブ）
５４ｂ      排気側バルブ（排気バルブ）
５６ａ      吸気側バルブリフタ
５６ｂ      排気側バルブリフタ
６２ａ      燃焼室冷却用下側流路（燃焼室冷却用流路）
６２ｂ      排気通路冷却用下側流路（排気通路冷却用流路）
６２ｃ      吸気通路冷却用下側流路（吸気通路冷却用流路）
６４ａ      燃焼室冷却用上側流路（燃焼室冷却用流路）
６４ｂ      排気通路冷却用上側流路（排気通路冷却用流路）
６４ｃ      吸気通路冷却用上側流路（吸気通路冷却用流路）
７０ａ      冷却水入口（冷却媒体入口）
７０ｂ      冷却水入口（冷却媒体入口）
７２        冷却水出口（冷却媒体出口、主出口）
７４ａ      冷却水出口（冷却媒体出口、副出口）
７４ｂ      冷却水出口（冷却媒体出口、副出口）
７６ａ      冷却水出口（冷却媒体出口、第２副出口）
７６ｂ      冷却水出口（冷却媒体出口、第２副出口）
９２        混合部（混合部）
９４        取付部
１００      フランジ部
１００ａ    凹部
１００ｂ    凹部
１００ｃ    凹部
ＩＮＴ      吸気通路（吸気通路）
ＥＸＨ      排気通路（排気通路）
ＨＷＪ      ヘッド用ウォータージャケット（ウォータージャケット）
ＬＨＷＪ    下側ヘッド用ウォータージャケット（下側ウォータージャケット）
ＵＨＷＪ    上側ヘッド用ウォータージャケット（上側ウォータージャケット）
ＴＭ        サーモスタット
Ｐ          ペレット
ＨＴ        ヒーター
ＴＨＣ      スロットルチャンバー
ＲＡＤ        ラジエータ
ＷＰ        ウォーターポンプ（ウォーターポンプ）
ＢＷＪ      ブロック用ウォータージャケット
ＷＩ        ウォータインレット
【図１】
2019035365.tif 000003
【図２】
2019035365.tif 000004
【図３】
2019035365.tif 000005
【図４】
2019035365.tif 000006
【図５】
2019035365.tif 000007
【図６】
2019035365.tif 000008
【図７】
2019035365.tif 000009
【図８】
2019035365.tif 000010
【図９】
2019035365.tif 000011
【図１０】
2019035365.tif 000012
【図１１】
2019035365.tif 000013
【図１２】
2019035365.tif 000014
【図１３】
2019035365.tif 000015
【図１４】
2019035365.tif 000016
【図１５】
2019035365.tif 000017
【図１６】
2019035365.tif 000018
【図１７】
2019035365.tif 000019
【図１８】
2019035365.tif 000020
【図１９】
2019035365.tif 000021
【図２０】
2019035365.tif 000022
【図２１】
2019035365.tif 000023